(57)【要約】【課題】上レールの巾が抑制できて、取付部における種々の制約条件に対応して納まり良く取り付けができる引戸装置を提供する。【解決手段】開口部を開閉する引戸本体、及びこの引戸本体を、水平移動可能に支持する引戸支持手段を有し、前記引戸支持手段は、水平にのびる上レールと、引戸本体に取り付けられるランナーとを有し、前記上レールは、上下にのびるセンターウェブと、このセンターウェブの下端から両側に略水平に小巾でのびる左右の走行フランジとからなり、前記ランナーは、引戸本体に固着されるＵ字基体と、このＵ字基体の双方の側片の内側に各々配置される左右の車輪とからなり、前記ランナーの車輪が、上レールの走行フランジ上を転動することにより、引戸本体が上レールに支持、誘導されて水平移動することを特徴とする。【選択図】  図５
2007191928.tif 000002
【特許請求の範囲】
【請求項１】
開口部を開閉する引戸本体、及びこの引戸本体を、前記開口部を閉止する閉位置と開口部に隣接する隣接壁部に対面する開位置との間で水平移動可能に支持する引戸支持手段を有し、
前記引戸支持手段は、開口部の上縁高さで水平にのびる上レールと、引戸本体の上端部に取り付けられるランナーとを有し、
前記上レールは、巾方向の中央で上下にのびるセンターウェブと、このセンターウェブの下端から両側に略水平に小巾でのびる左右の走行フランジとからなり、
前記ランナーは、水平な基板及びその両側から上に折れ曲がって立ち上がる一対の側片からなるとともに引戸本体に固着されるＵ字基体と、このＵ字基体の双方の側片の内側に各々配置されるとともに側片に回転可能に支持される左右の車輪とからなり、
前記ランナーの左右の車輪が、上レールの左右の走行フランジ上を転動することにより、引戸本体が上レールに支持、誘導されて水平移動することを特徴とする引戸装置。
【請求項２】
前記上レールは、隣接壁部に対して平行にのびる直行部と、この直行部の一方端部から緩やかに折れ曲がるとともに、直行部と同じ水平面上を斜めに進む斜行部とからなり、
前記斜行部は、直行部の、隣接壁部に対し開口部が位置する側と同じ側に連続して形成され、かつ前記開位置から、開口部の内部に向く斜め方向に折れ曲がることを特徴とする請求項１記載の引戸装置。
【請求項３】
前記上レールは、センターウェブの上下双方の端部から、各々両側に略水平に小巾でのびる左右の走行フランジを有することを特徴とする請求項１又は２記載の引戸装置。
【請求項４】
前記上レールは、センターウェブの上端からのびる左右の走行フランジの上面に、各々内側に向き合って断面Ｌ字状に折れ曲がり、かつ上レールの長手方向に沿って連続する一対の鍵状体によって、内向きのリップを供えた取付凹部が形成され、
この取付凹部内に、スライド可能に挿入された取付板を螺着することにより、上レールが長手方向に位置調整可能に取り付けられることを特徴とする請求項３記載の引戸装置。
【発明の詳細な説明】
【技術分野】
【０００１】
本発明は、コンパクトに構成できて、多様な設計条件に対して納まりが良く、しかも引戸本体を滑らかに開閉移動できる引戸装置に関する。
【背景技術】
【０００２】
開口部を開閉する引戸本体をスライド可能に支持するため、開口部の上部から一方の側方へのびる上レールを壁に取り付け、他方引戸本体の上部に取り付けたランナーを前記上レールに移動可能に係合させることにより、引戸本体を垂下して支持する吊り戸の支持構造が各種提案されている。
【０００３】
例えば、図１１に示すように、リップ付溝形状の上レールａを垂れ壁部ｂの下端面に嵌合固着するとともに、他方引戸本体ｄの上端部から立ち上がる支軸ｅの上端部から水平にのびる支持軸ｆの両端に左右の車輪ｇ、ｇを軸着し、この左右の車輪ｇ、ｇを前記上レールａのリップ部に走行可能に係合させることにより、前記引戸本体ｄをスライド自在に支持する構造が提案されている（例えば、特許文献１参照）。
【０００４】
しかしながら、前記上レールａは、その内側に引戸本体ｄを支える支軸ｅ及び左右の車輪ｇ、ｇを収容するスペースが必要となり、かつ引戸本体ｄの移動を支える支持強度が必要であることから、設計的に工夫がされたとしても、一定巾以上の大きさにならざるを得ない。そのため、柱型、耐力壁その他が壁表面から突出する箇所など、スペースに制約がある場合は、取り付けできないケースがあり、或いはこのような制約のある箇所に無理をして取り付けると、上レールａ自体が壁面から突出して納まりが悪くなるとともに、取付強度が不安定になるという問題がある。
【０００５】
そこで、図１２に示すように、取付片ｈと、この取付片ｈから下に折れ曲がる垂下片ｉと、この垂下片ｉの下端部から鍵状に折れ曲がる受部ｊとからなる単線の上レールａに対し、引戸本体ｄの上端面に固着されたアングル状の基体ｋに軸着された単輪の車輪ｇを走行可能に係合させることによって、引戸本体ｄをスライド可能に支持する単輪方式の構造が提案されている（例えば、特許文献２参照）。
【０００６】
【特許文献１】実開平７−１１６８０号公報
【特許文献２】特開２００５−１８８０７０号公報
【発明の開示】
【発明が解決しようとする課題】
【０００７】
しかしながら、単輪式の車輪ｇに支持された引戸本体ｄは、横揺れしてガタツキが大きくなりがちであるとともに滑らかにスライドしにくく、その結果操作性が劣るとともに、開閉時に振動、騒音が大きくなるという問題がある。更には、単輪で引戸本体ｄの荷重を支持するため、車輪ｇに対する負担が過大となって、トラブルを生じやすく頻繁なメンテナンスが必要となる。
【０００８】
本発明は、巾方向中央のセンターウェブと、このセンターウェブの下端から両側に略水平に左右の走行フランジとからなる上レールを用いることを基本とし、上レールの巾が抑制できて、取付部における種々の制約条件をクリアーして納まり良く取り付けできる引戸装置の提供を課題としている。
【課題を解決するための手段】
【０００９】
前記目的を達成するために本発明の引戸装置は、開口部を開閉する引戸本体、及びこの引戸本体を、前記開口部を閉止する閉位置と開口部に隣接する隣接壁部に対面する開位置との間で水平移動可能に支持する引戸支持手段を有し、前記引戸支持手段は、開口部の上縁高さで水平にのびる上レールと、引戸本体の上端部に取り付けられるランナーとを有し、前記上レールは、巾方向の中央で上下にのびるセンターウェブと、このセンターウェブの下端から両側に略水平に小巾でのびる左右の走行フランジとからなり、前記ランナーは、水平な基板及びその両側から上に折れ曲がって立ち上がる一対の側片からなるとともに引戸本体に固着されるＵ字基体と、このＵ字基体の双方の側片の内側に各々配置されるとともに側片に回転可能に支持される左右の車輪とからなり、前記ランナーの左右の車輪が、上レールの左右の走行フランジ上を転動することにより、引戸本体が上レールに支持、誘導されて水平移動することを特徴とする。
【００１０】
また前記上レールは、隣接壁部に対して平行にのびる直行部と、この直行部の一方端部から緩やかに折れ曲がるとともに、直行部と同じ水平面上を斜めに進む斜行部とからなり、前記斜行部は、直行部の、隣接壁部に対し開口部が位置する側と同じ側に連続して形成され、かつ前記開位置から、開口部の内部に向く斜め方向に折れ曲がることもよく、或いは前記上レールは、センターウェブの上下双方の端部から、各々両側に略水平に小巾でのびる左右の走行フランジを設けることもよい。
【００１１】
さらに前記上レールは、センターウェブの上端からのびる左右の走行フランジの上面に、各々内側に向き合って断面Ｌ字状に折れ曲がり、かつ上レールの長手方向に沿って連続する一対の鍵状体によって、内向きのリップを供えた取付凹部が形成され、この取付凹部内に、スライド可能に挿入された取付板を螺着することによって、上レールが長手方向に位置調整可能に取り付けられるように構成することもよい。
【発明の効果】
【００１２】
本発明の引戸装置は、上レールが、中央で上下にのびるセンターウェブと、このセンターウェブの下端から両側に略水平に小巾でのびる左右の走行フランジとで構成されるため、上レールの巾を比較的スリムに形成でき、その結果、柱、耐力壁などが配置されて、壁が部分的に突出する箇所に対しても、その凸部と干渉することを避けて取り付けできる。従って、上レールの取り付けスペースに対する制約条件に影響されることが殆どなくなり、様々な納まりに柔軟に対応して取り付けできる。
【００１３】
またランナーが、引戸本体に固着されるＵ字基体と、このＵ字基体の両側片の内側に各々配置される左右の車輪とからなり、かつこの左右の車輪が、上レールの左右の走行フランジ上を転動することによって、引戸本体が上レールに支持、誘導される。従って、引戸本体の荷重は、引戸本体の厚さ方向の中心線を挟んで配置される左右の車輪によって均等に支持されるため、急激な押し引きによって、乱暴に開閉操作された場合でも、滑らかに水平移動できる。その結果、引戸本体の開閉動作に支障を生じることはなく、更にその開閉運動による振動、騒音が抑制されて、使い勝手に優れるとともに、静寂性が必要な寝室、老人室、書斎などの出入り口開口部に好適に使用できる。
【００１４】
上レールの斜行部が、隣接壁部に対し開口部が位置する側と同じ側に配置され、かつ前記開位置から、開口部の内部に向く斜め方向に折れ曲がるよう形成すると、上レールに支持されて移動する引戸本体が、閉位置の近くで、隣接壁部に沿う方向の水平移動と開口部の出入方向の水平移動とを伴い、開口部の内側に向かう小さな斜め方向に水平移動する、所謂スイング方式の開閉動作によって、開口部内に引戸本体が挿入され、隙間なく開口部を閉止することができる。また、引戸本体を開位置と閉位置との間で、連続した滑らかな水平移動をさせることができ、引戸本体の開閉に要する力を減じるとともに開閉動作による騒音、振動が減少する。しかも一方端部に同一断面で連続する斜行部を設けるだけの簡単な構成の上レールによって、前記スイング方式の開閉が可能となるため、構造、施工を簡素化できるとともに使用上のトラブルが減少し、その上メンテナンスの負担も軽減できる。
【００１５】
またセンターウェブの上下双方の端部から、各々両側に略水平に小巾でのびる左右の走行フランジを設けて、上レールを形成すると、例えば、二種類のランナーを選択して使用する場合、各々のランナーに合う走行フランジを上下に形成することにより、一種類の上レールを兼用して使用できる。更には、前記の一方端部に斜行部を設けた上レールにおいて、センターウェブの上下両端に走行フランジを設けると、左右何れの開き勝手に対しても、上下を反転して取り付けることにより対応しうるため、一種類の上レール部材を兼用することができ、その結果部材点数が減少する。
【００１６】
さらに上レールの長手方向に沿って連続する一対の鍵状体によって、内向きのリップを供えた取付凹部が形成され、この取付凹部内に、スライド可能に挿入された取付板を螺着することにより上レールを取り付けると、上レールの長手方向の取付け位置が調整可能となり、特に２本の上レールの間隔を容易かつ精密に設定できることから、引戸本体の建付け調整を簡単確実に行なえる。
【発明を実施するための最良の形態】
【００１７】
以下、本発明の実施の一形態を、図示例とともに説明する。図１、２に示すように、引戸装置１は、開口部２を開閉する引戸本体３と、この引戸本体３を水平移動可能に支持し、上レール８及びランナー９を有する引戸支持手段７とからなる。
【００１８】
前記開口部２は、人の出入、採光、通風等のために、住宅等建築物の内部空間を区切る間仕切壁、又は外壁に設けられた空所である。本形態では、間仕切り壁からなる壁Ｗａに形成した開口部２が例示される。
【００１９】
また本明細書では、前記壁Ｗａの内、開口部２の一側に隣り合うとともに、引戸本体３の戸袋領域となる一定の範囲が、隣接壁部５として定義される。そしてこの隣接壁部５は、主壁部２２と、この主壁部２２の開口部２側に連続して設けられる縁壁部２３とを含み構成される。
【００２０】
前記主壁部２２は、図２に示すように、下地桟２４の両側に石膏ボード、合板等の内装下地板２５を固着し、その上に壁クロス、壁紙、塗り壁等の仕上層（図示せず）が積層される。また本形態では、主壁部２２とこれに続く壁Ｗａは、同じ厚さで連続するととも、前記仕上層は連続して形成され、これにより外観に優れ、また設計施工等の作業を合理化できる。更に主壁部２２とこれに続く壁Ｗａを下地を含めて連続した一体構造として形成することもできる。
【００２１】
前記縁壁部２３は、基板部２６と傾斜部材２７とからなり、前記主壁部２２の開口部２側に連続して形成される。前記基板部２６は、主壁部２２よりも薄く形成されるとともに、主壁部２２の一方表面と整一に配置され、他方表面（引戸本体３と向き合う側）に段部２８が形成される。なお本形態の基板部２６は、ＭＤＦ（中密度繊維板）の両側を合板で挟んだ三層の積層板を用いて構成されたものが例示される。
【００２２】
前記傾斜部材２７は、開口部２に近い程その表面が後退する湾曲面２９が形成され、前記段部２８に取り付けられる。また本形態の傾斜部材２７は、プラスチック材料、鋼板などの湾曲板を用いて中空状に形成されるが、リサイクル木粉にポリプロピレン樹脂、ポリエチレン樹脂などを配合して押出、射出成形した人工木材を用いて中実状に形成することもよい。また基板部２６と傾斜部材２７とを予め一体化した縁壁パネルを、前記主壁部２２の開口部２側に取付けて縁壁部２３を形成することもよい。さらには、主壁部２２と縁壁部２３を予め一体化した隣接壁部パネルを使用する等各種の変形も可能である。
【００２３】
前記壁Ｗａには、図３、５に示すように、開口部２上縁及び前記隣接壁部５の上端部に沿い水平に連続するとともに、庇状に小巾に突出する上枠材３０が設けられる。更に、この上枠材３０には、その周縁を帯状に覆って化粧する化粧カバー３１が取り付けられる。なお本形態の化粧カバー３１は、その裏面に水平な横溝３２が形成され、この横溝３２を上枠材３０に嵌合することにより取り付けられる。また開口部２の戸当り側、戸尻側には、各々額縁状の化粧縦枠３３Ａ、３３Ｂが取り付けられる。
【００２４】
前記引戸本体３は、縦長の矩形板状をなし、開口部２と略同高さ、かつ開口部２よりも少し大き目の巾に形成される。また本形態の引戸本体３は、縦フレーム材、横フレーム材を矩形状に枠組みした外周枠の内側に補強桟を架け渡し形成された木製のパネルフレームの両側に、化粧板を貼着したフラッシュパネルを用いて構成される。
【００２５】
前記上レール８は、図４、６に示すように、巾方向の中央で上下に壁状にのびるセンターウェブ１０と、このセンターウェブ１０の下端から巾方向両側に水平に小巾でのびる左右の走行フランジ１１、１１とを有する。そしてこの走行フランジ１１には、その側端縁が上へ僅かに折れ曲がる縁部４６が立設される。更に本形態では、センターウェブ１０の上端からも、巾方向両側に前記と同寸の小巾で水平にのびる左右の走行フランジ１１、１１が設けられ、従って上レール８は、縦断面が上下左右に対称なエ字状に形成される。
【００２６】
また本形態では、センターウェブ１０の上端に形成された走行フランジ１１、１１の上面、及びセンターウェブ１０の下端に形成された走行フランジ１１、１１の下面に、各々内側に向き合って断面Ｌ字状に折れ曲がり、かつ上レール８の長手方向に沿って連続する一対の鍵状体３４Ａ、３４Ａが設けられ、この向き合う鍵状体３４Ａ、３４Ａによって、内向きのリップ３４Ｂを供えた取付凹部３４が形成される。
【００２７】
そして図２、３に示すように、２本の上レール８、８を、開口部２、及び隣接壁部５に沿って各々配置し、前記上枠材３０の下面に固着している。この時本形態では、図６に示すように、前記取付凹部３４内に、螺孔３５Ｎを有する取付板３５をスライド可能に挿入し、上枠材３０に上側から挿通したボルト３６を取付け板３５の螺孔３５Ｎに螺入することにより、上レール８を取付けている。従って、取付板３５を上レール８の長手方向に移動させることにより、上レール８の長さ方向に向く取り付け位置を自在に調整でき、特に２本の上レール８、８の間隔の設定を容易かつ精密に行なえることから、引戸本体３の建付け調整を簡単確実になしうる。
【００２８】
前記センターウェブ１０は、その高さが例えば、１５〜５０ｍｍ程度、好ましくは２０〜３５ｍｍ、本形態では２７ｍｍ程度に形成される。また前記左右の走行フランジ１１、１１は、その全巾が、例えば、１０〜３５ｍｍ程度、好ましくは１５〜３５ｍｍ、本形態では１８ｍｍ程度としている。
【００２９】
このように上レール８は、センターウェブ１０と、その上下端部から両側に小巾でのびる左右の走行フランジ１１とで構成されるため、その巾をスリムに形成できる。その結果、建築構造上、柱、耐力壁が配置されるなど、壁が部分的に突出する場合でも、その凸部と干渉することなく取り付けできる。従って、上レール８取り付け位置の制約が減少するため、平面プランの上で、開口部２を任意に配置できるとともに引戸本体３を様々な納まりに対応して取り付けできる。
【００３０】
更に本形態の上レール８は、図２、４に示すように、隣接壁部５の面方向に対して平行にのびる直行部１６と、この直行部１６の、隣接壁部５に対し開口部２が位置する側と同じ側（図２において左側）が緩やかに湾曲して折れ曲がった斜行部１７とが連続して形成される。前記斜行部１７は、直行部１６と同一水平面上で連続し、しかも前記開位置６から開口部２の内部に向く斜め方向（図２において矢印Ｘで示す）に折れ曲がる。
【００３１】
前記ランナー９は、図６、７に示すように、水平な基板１２、及びその両側から上に折れ曲がる一対の側片１３、１３からなるＵ字基体１４と、このＵ字基体１４の各々の側片１３に回転可能に支持される左右の車輪１５、１５とからなる。本形態では、側片１３に内向きの支持軸３９を片持ち状に突設し、この支持軸３９に車輪１５が枢支される。そして各側片１３には、各々２個の車輪１５が取り付けられ、従ってランナー９は計４個の車輪１５を有する。
【００３２】
また前記Ｕ字基体１４は、本形態では、基板１２の中央から垂下する縦軸３７を介して縦長小ブロック状のアンカー３８が設けられ、このアンカー３８を前記引戸本体３の上端面に嵌合することにより、ランナー９が引戸本体３に固着される。なお前記縦軸３７は、Ｕ字基体１４に対して回動可能に係合し、これによってランナー９は引戸本体３に対して回動可能に取り付けられ、また引戸本体３の両端部に各一個が配置される。
【００３３】
しかして、図５に示すように、前記引戸本体３の上端部に取り付けたランナー９の左右の車輪１５、１５を、上レール８の端部から、各々左右の走行フランジ１１、１１上に挿入して支持させると、前記車輪１５が引戸本体３両端部の荷重を支持しつつ、走行フランジ１１上を転動する。その結果引戸本体３は、図２に示すように、上レール８に支持誘導されて前記開口部２を閉止する閉位置４と、前記隣接壁部５に対面する開位置６との間を、滑らかに水平移動できる。しかも引戸本体３は、その重心が通る厚さ方向の中心線を挟んで左右に配置される一対の車輪１５、１５によって荷重が均等に支持される。そのため、急激な力を加えて、乱暴に開閉操作しても、引戸本体３は滑らかに水平移動しうる。従って使い勝手に優れる上、引戸本体３の開閉運動による振動、騒音の発生が抑制され、寝室、老人室、書斎などの出入り口開口部に好適に使用でき、更にはトラブル発生が減少するとともにメンテナンスの負担を軽減できる。
【００３４】
本形態の上レール８は、前記の如く隣接壁部５に対し開口部２が位置する側と同じ側に、開位置６から開口部２の内部に向く斜め方向に折れ曲がる斜行部１７が形成される。従ってこの上レール８に支持されてスライドする引戸本体３は、閉位置４の近くまで移動すると、隣接壁部５に沿う方向の動きに開口部の出入方向の動きが加わって、開口部２の内側に向かう小さな斜め方向（図２において矢印Ｘで示す）に水平移動する、所謂スイング方式の開閉動作を行なう。これにより、開口部２の内側に引戸本体３が挿入され、隙間なく開口部２を閉止することができるとともに、開位置６と閉位置４との間で引戸本体３を滑らかに水平移動をさせることができ、しかも引戸本体３の開閉は比較的小さな力で操作できるとともに、開閉動作に伴う騒音、振動を減少できる。しかも上レール８は、一方端部に同一断面で連続する斜行部１７を設けた簡単な構成であるため、施工が簡単に行なえるとともにトラブルが減少し、メンテナンスも殆ど不要である。
【００３５】
また本形態の上レール８は、前記の如く、センターウェブ１０の上下双方の端部から、各々両側に小巾でのびる左右の走行フランジ１１、１１が形成されるため、上下反転して使用できる。従って、例えば、異なる大きさの引戸本体３を支持するため、大小二種類の車輪１５のランナー９を選択して使用する場合などに、各々のランナー９に適合する走行フランジ１１を上下に形成することにより、一種類の上レール８を反転して兼用できる。更に本形態の如く、一方端部に斜行部１７を設けた上レール８においては、縦断面が上下左右に対称なエ字状に形成した上レール８を、上下反転して取り付けることによって、左右何れの開き勝手にも対応でき、その結果部材点数を減少することができる。なお、図１０（Ａ）（Ｂ）は、図２と逆の開き勝手に同一の上レール８を取り付けて対応した納まりを例示する斜視図、及び断面図である。
【００３６】
更に本形態では、図２に示すように、隣接壁部５の縁壁部２３に形成された湾曲面２９により、引戸本体３の動作範囲と隣接壁部５との干渉がなくなり、引戸本体３の開位置６と閉位置４間の水平移動において、閉位置４の近くで、開口部２の内側に向かう前記小さな斜め方向の水平移動が可能となる点で好ましい。
【００３７】
本形態では、図１に示すように、隣接壁部５の主壁部２２下部に連続した幅木４０が形成され、さらにこの幅木４０は主壁部２２に続く壁Ｗａの下部へ連続して延びている。またこの幅木４０には、図８に示すように、下向きに開口した略溝状の下ガイドレール４１が取り付けられる。他方引戸本体３の下端部に、側方に下ローラー４２を突設した下ピポット４３を設け、この下ロール４２が前記幅木４０の下ガイドレール４１に係合することにより、引戸本体３下部の開閉方向と直行する方向の揺動を防止して、スムースな開閉移動を確保している。
【００３８】
また本形態の戸当り側の化粧縦枠３３Ａには、図９に示すように、戸当り４４が取り付けられ、引戸本体３を受けるとともに明かり漏れを防止しいる。更にこの化粧縦枠３３の、引戸本体３と向き合う面には、鎌錠、マグネットキャッチなど、開き止め金具４５が埋設されている。
【００３９】
尚、叙上の説明は本発明の実施の形態を例示したものである。従って本発明の技術的範囲はこれに何ら限定されるものではなく、前記した実施の形態の他にも、各種の変形例が含まれる。
【図面の簡単な説明】
【００４０】
【図１】本発明の一実施の形態を例示する正面図である。
【図２】そのＡ−Ａ断面図である。
【図３】その要部斜視図である。
【図４】その拡大図である。
【図５】図１のＢ−Ｂ断面図である。
【図６】その要部拡大図である。
【図７】ランナーを例示し、（Ａ）は平面図、（Ｂ）は正面図である。
【図８】下ローラー、及び下ガイドレールを例示する斜視図である。
【図９】戸当り側の化粧縦枠の断面図である。
【図１０】上レールを上下反転して使用する状態を例示し、（Ａ）は要部斜視図、（Ｂ）は水平断面図である。
【図１１】従来例を示す断面図である。
【図１２】他の従来例を示す断面図である。
【符号の説明】
【００４１】
１      引戸装置
２      開口部
３      引戸本体
４      閉位置
５      隣接壁部
６      開位置
７      引戸支持手段
８      上レール
９      ランナー
１０      センターウェブ
１１      走行フランジ
１２      基板
１３      側片
１４      Ｕ字基体
１５      車輪
１６      直行部
１７      斜行部
【図１】
2007191928.tif 000003
【図２】
2007191928.tif 000004
【図３】
2007191928.tif 000005
【図４】
2007191928.tif 000006
【図５】
2007191928.tif 000007
【図６】
2007191928.tif 000008
【図７】
2007191928.tif 000009
【図８】
2007191928.tif 000010
【図９】
2007191928.tif 000011
【図１０】
2007191928.tif 000012
【図１１】
2007191928.tif 000013
【図１２】
2007191928.tif 000014